(57)【特許請求の範囲】
【請求項１】
光源からの光を受けてその光を機器の外部に放つ複数個の光放部を１つの組としこの１つの組に対して、発光部材の向きによってそれぞれの方向における光量の大きさに違いを有する１つの光源を割り当てるように当該光源を基板上に取り付けてなる表示用光源の取り付け構造であって、
上記光源は、上記複数個の光放部のうち距離が最も遠い位置に存在する光放部方向の光量が最大となるような取り付け角度で上記基板上に取り付けられてなることを特徴とする表示用光源の取り付け構造。
【請求項２】
前記光源の発光部材は一方向に延びたフィラメントであって、前記光源の基板上での取り付け角度は、そのフィラメントに直交する線上に、当該光源からの距離が最も遠い位置に存在する光放部となるイルミネーションが位置するような角度であり、他の光放部を操作つまみとしていることを特徴とする請求項１記載の表示用光源の取り付け構造
【請求項３】
前記光源から前記最も遠い位置に存在する光放部までの距離と、前記光源から前記光量が最小となる方向の光放部外端までの距離の比を、光量比と同一となるように設定したことを特徴とする請求項１または２記載の表示用光源の取り付け構造。
【請求項４】
光源からの光を受けてその光を機器の外部に放つ複数個の光放部を１つの組としこの１つの組に対して、発光部材の向きによってそれぞれの方向における光量の大きさに違いを有する１つの光源を割り当てるように当該光源を基板上に取り付けてなる表示用光源の取り付け構造であって、
上記機器の前面パネルの水平方向や垂直方向に対して上記光源の最大光量方向や最小光量方向が同一とならないように上記光源を配置したことを特徴とする表示用光源の取り付け構造。
【発明の詳細な説明】
【０００１】
【発明の属する技術分野】
本発明は、電子機器などの各種操作つまみ部や表示部などを機器内部から照明を行う表示用光源の取り付け構造に関する。
【０００２】
【従来の技術】
最近の電子機器などは多彩な機能を有しているものが多く、それに伴って、多くの操作つまみや表示部が設けられているものが多い。これら操作つまみや表示部が多いと操作に戸惑うことも多く、特に、カーオーディオなどのように暗い環境下で使用することの多い電子機器にあっては、より一層、操作しにくいものとなる。そこで、機器の動作状況や操作つまみの位置などが一目でわかるように、これら操作つまみや表示部を光透過部材で形成し、機器内部からこれら操作つまみや表示部を照明することが従来より一般的に行われている。
【０００３】
このように、機器内部から操作つまみや表示部を照明することで、操作つまみや表示部は外部からみると光放状態となり、ユーザは操作つまみや表示部の存在が一目でわかる。また、現在どの操作つまみによってどのような動作がなされているかなど機器の動作状態をユーザに教えることもできる。
【０００４】
これを実現するには、機器内部において、操作つまみや表示部の近傍に幾つかの光源としてランプなどを配置させればよいが、コストなどの面から、使用する光源の数はできるだけ少なくすることが要求される。すなわち、少ない光源で如何に効率よく操作つまみや表示部から光放させるかが大きな課題である。
【０００５】
図３は、従来の機器に用いられる前面パネル基板と前面パネルの一例を示すもので、前面パネル基板を覆う前面パネル（前面パネル自体は透かし状態として示されている）には、各種部品が取り付けられているが、ここでは本発明を説明する上で必要な操作つまみａ〜ｋと音楽ディスクの挿入口を照らすイルミネーションＡ，Ｂのみを図示している。そして、これら操作つまみａ〜ｋとイルミネーションＡ，Ｂを、前面パネル基板１に配置される光源となる４つのランプＬ１〜Ｌ４で照らすことで、それらのランプＬ１〜Ｌ４の光を操作つまみａ〜ｋとイルミネーションＡ，Ｂを通して機器外部に放出している。なお、これらランプＬ１〜Ｌ４の光を受けてその光を外部に放つ操作つまみａ〜ｋやイルミネーションＡ，Ｂをここでは光放部と呼ぶことにする。
【０００６】
この図３では、ランプＬ１は、光放部としての操作つまみｃ，ｄに対応して設けられ、ランプＬ２は、光放部としての操作つまみａ，ｂとイルミネーションＡに対応して設けられている。ランプＬ３は、光放部としての操作つまみｅとイルミネーションＢに対応して設けられ、ランプＬ４は、光放部としての操作つまみｆ〜ｋに対応して設けられている。
【０００７】
このように、複数の光放部を１つの組とし、それぞれの組ごとに１つのランプを割り当てるようにすることで、前述したように、少ないランプで多数の光放部から効率よく外部に光放させるようにしている。
【０００８】
なお、ここで用いられるランプＬ１〜Ｌ４は、その発光部材として一方向に延びたフィラメントＦが用いられている。すなわち、それぞれのランプＬ１〜Ｌ４は、図３に示すように、一方向に延びたフィラメントＦが全面パネル基板１上における水平方向ラインＨに並行または垂直方向ラインＶに並行となるように取り付けられるのが一般的である。この図３においては、ランプＬ１〜Ｌ４は、すべてそれぞれのフィラメントＦが前面パネル基板１上における水平方向ラインＨに並行に取り付けられた例が示されている。
【０００９】
そして、ランプＬ１〜Ｌ４が受け持つそれぞれの光放部に、できるだけ均等に光を当てるため、採光板（図示せず）を用いたり、より遠くに位置する光放部にまで光が届くように採光板に特殊加工（ローレットやブラストなど光の屈折を利用した加工）を施したりする工夫が施されることもある。
【００１０】
【発明が解決しようとする課題】
しかしながら、ランプから遠い位置に存在する光放部には、もともと少ない光量しか届かないので、上述したような採光板やローレット加工等の工夫が施されていても、十分な光量は与えられず、その光放部から放たれる光が明瞭とならない問題が生じる。
【００１１】
これに対処するには、ランプの数を増やせばよいが、ランプの数が増えると、上述したように、部品コストが増大するばかりでなく、回路に流れる電流を大きくさせる必要があることから、それによって、使用するトランジスタなどの部品をそれに見合う性能を有する高価なものに代える必要がある。
【００１２】
また、ランプの数が増えることによって、機器内部が高温となるため、その放熱対策として、放熱シートなどの部品を新たに設ける必要が生じ、それによって、組立工数の増大、部品コストの増大といった問題も生じる。
【００１３】
また、従来のランプ配置の場合、ランプＬ１〜Ｌ４がフィラメントＦを有するものであり、その配置構成によっては光量が大きい角度や、小さい角度が存在する。このため、操作つまみｂ、ｃ、ｄ等には中央が明るく左右両側へ行くに従い暗くなる不具合が出たり、操作つまみｇ、ｈ等にはランプＬ４の近くは明るくランプＬ４から離れるに従い急激に暗くなる等の不具合が生じがちとなっている。
【００１４】
そこで本発明は、できるだけ少ないランプでより多くの光放部に対し効率よく光を与えることを可能とし、コストの低廉化や製品の品質向上に寄与できる表示用光源の取り付け構造を提供することを目的としている。また、他の発明は、操作つまみとなる光放部に対し、均一にむらなく光を与えることを可能とする表示用光源の取り付け構造を提供することを目的とする。
【００１５】
【課題を解決するための手段】
かかる目的を達成するため、本発明の表示用光源の取り付け構造は、光源からの光を受けてその光を機器の外部に放つ複数個の光放部を１つの組としこの１つの組に対して、発光部材の向きによってそれぞれの方向における光量の大きさに違いを有する１つの光源を割り当てるように当該光源を基板上に取り付けてなる表示用光源の取り付け構造であって、光源は、複数個の光放部のうち距離が最も遠い位置に存在する光放部方向への光量が最大となるような取り付け角度で基板上に取り付けるようにしている。
【００１６】
これによって、光源からの距離が遠い位置に存在する光放部に対しても、当該光源から十分な光量を与えることができるので、少ない光源で多数の光放部を照射することができ、部品の削減が図れ、回路に流す電流も小さくすることができることからトランジスタなどの部品をそれに合わせた性能のものを使用できるなど、コストの低廉化が図れる。また、ランプの数が少なければ発生する熱も小さく抑えることができ、放熱対策なども従来に比べれば小規模なものとすることができ、それによってもコストの低廉化が図れ、また、製品の品質向上も図ることができる。
【００１７】
また、他の発明は、上述の発明の表示用光源の取り付け構造に加えて、光源の発光部材は一方向に延びたフィラメントであって、光源の基板上での取り付け角度は、そのフィラメントに直交する線上に、当該光源からの距離が最も遠い位置に存在する光放部となるイルミネーションが位置するような角度とし、他の光放部を操作つまみとしている。
【００１８】
このように、本発明では光源としてはその発光部材として一方向に延びたフィラメントを用いたごく普通のランプとしているので、汎用性に優れているので保守性にも優れたものとなる。また、このようなの一方向に延びたフィラメントを発光体として有するランプの特性（一方向に延びたフィラメントに直交する方向の光量が大きいという特性）を利用し、そのフィラメントに直交する線上に、光源からの距離が最も遠い位置に存在し、少々暗くても影響が少ないイルミネーションが位置するように光源を設置するだけで、遠くに位置するイルミネーションにまで十分な光量を与えることができる。
【００１９】
さらに他の発明は、上述の各発明に加え、光源から最も遠い位置に存在する光放部までの距離と、光源から光量が最小となる方向の光放部外端までの距離の比を、光量比と同一となるように設定している。
【００２０】
このように配置することで、１つの光源に割り当てられた１組の光放部が略均一な光を放射することとなる。このため、この取り付け構造を有する機器の製品としての見栄えが良くなり、製品価値が高まることとなる。
【００２１】
また、他の発明の表示用光源の取り付け構造は、光源からの光を受けてその光を機器の外部に放つ複数個の光放部を１つの組としこの１つの組に対して、発光部材の向きによってそれぞれの方向における光量の大きさに違いを有する１つの光源を割り当てるように当該光源を基板上に取り付けてなる表示用光源の取り付け構造であって、機器の前面パネルの水平方向や垂直方向に対して光源の最大光量方向や最小光量方向が同一とならないように光源を配置している。
【００２２】
このため、オーディオ機器等では、操作つまみが一般的に横長または縦長に配置されるのに対し、光源の最大光量方向や最小光量方向が前面パネルの水平方向や垂直方向と同一とならないように配置されるので、操作つまみが均一にむらなく照射されることとなる。この結果、この取り付け構造を有する機器の製品としての見栄えが良くなり、製品としての高級感が増し、製品価値が高まることとなる。
【００２３】
【発明の実施の形態】
以下、本発明に係る機器の表示用光源の取り付け構造についての実施の形態の例を図１および図２を参照しながら説明する。
【００２４】
図１は、本発明における表示用光源の取り付け構造を説明するもので、前面パネル基板１とその前面パネル基板１を覆う前面パネルを重ね合わせ、前面パネル自体は透かし状態として示した図である。前面パネル側には、複数の光放部としての操作つまみａ〜ｋとイルミネーションＡ，Ｂが取り付けられているが、これらの光放部は、前述した図３と同じ配置となっているものとする。そして、この実施の形態では、これら光放部に対し光源としての２つのランプＬＡ１，ＬＡ２が前面パネル基板１に配置され、これら２つのランプＬＡ１，ＬＡ２からの光を機器外部に光放させている。なお、前面パネル基板１には、ランプＬＡ１，ＬＡ２の他に操作つまみａ〜ｋのスイッチ接点部等の回路部が配置されている。
【００２５】
この実施の形態では、ランプＬＡ１は、光放部としての操作つまみａ，ｂ，ｃ，ｄとイルミネーションＡに対応して設けられ、これらの光放部に光を当てることで、その光をこれら光放部から機器外部に放つようにしている。ランプＬＡ２は、光放部としての操作つまみｅ〜ｋとイルミネーションＢを光放させるのに用いられ、これらの光放部に光を当てることで、その光をこれら光放部から機器外部に放つようにしている。
【００２６】
なお、ここで用いられるランプＬＡ１，ＬＡ２も前述同様、発光部材として一方向に延びたフィラメントＦを用いているものとする。この種のランプは、フィラメントＦの向きによってその光量の大きさが異なる特性がある。つまり、図２は、この種のランプを上から見た平面図であり、ランプＬＡ１，ＬＡ２のそれぞれの基台１１の上にはガラスなどからなる透明の球状体１２が存在する。そして、この球状体１２の内部に発光部材として一方向に延びたフィラメントＦが設けられ、このフィラメントＦに電流が流れることによりランプＬＡ１，ＬＡ２が点灯状態となることは周知の通りである。
【００２７】
このようなランプＬＡ１，ＬＡ２は、点灯状態となったとき、その光量は、フィラメントＦに直交する方向ｘ−ｘ’は光量が大きく、フィラメントＦの延長方向ｙ−ｙ’は光量が小さくなる特性がある。
【００２８】
本発明は、このような特性やイルミネーション等の特性を利用し、ランプＬＡ１，ＬＡ２の前面パネル基板１上での取り付け角度を工夫している。すなわち、２つのランプＬＡ１，ＬＡ２を、基板としての前面パネル基板１上において、図１のような位置に取り付けた場合、ランプＬＡ１の受け持ち範囲に存在する操作つまみａ〜ｄとイルミネーションＡのうち、ランプＬＡ１から最も遠い位置に存在する光放部（この場合、イルミネーションＡ）に対しても、多くの光量が届くように、ランプＬＡ１の基板１への取り付け角度を決める。
【００２９】
この場合、ランプＬＡ１のフィラメントＦに直交する方向ｘに延びた線（図１において破線Ｘ１で示す）上にイルミネーションＡが存在するように、前面パネル基板１上にてランプＬＡ１の取り付け角度を決めて取り付ける。ここで、ランプＬＡ１のフィラメントＦに直交する方向ｘに延びた線Ｘ１は、図示の水平方向ラインＨに対して反時計方向に角度θ１だけ回転させた位置となっている。
【００３０】
一方、ランプＬＡ２の受け持ち範囲に存在する操作つまみｅ〜ｋとイルミネーションＢのうち、ランプＬＡ２から最も遠い位置に存在するイルミネーションＢに対しても、多くの光量が届くように、ランプＬＡ２の前面パネル基板１への取り付け角度を決める。この場合、ランプＬＡ２のフィラメントＦに直交する方向ｘに延びた線（同様に図１において破線Ｘ２で示す）上にイルミネーションＢが存在するように、前面パネル基板１上にてランプＬＡ２の取り付け角度を決めて取り付ける。ここで、ランプＬＡ２のフィラメントＦに直交する方向ｘに延びた線Ｘ２は、図示の水平方向ラインＨに対して時計方向に角度θ２だけ回転させた位置となっている。
【００３１】
ランプＬＡ１，ＬＡ２を図１のように前面パネル基板１上に取り付けることによって、ランプＬＡ１からの光量は、ランプＬＡ１の近傍に存在する光放部（操作つまみａ〜ｄ）に対しては十分与えることができ、かつ、最も遠い位置のイルミネーションＡに対しても多くの光量を与えることができる。同様に、ランプＬＡ２からの光量は、ランプＬＡ２の近傍に存在する光放部（操作つまみｅ〜ｋ）に対しては十分与えることができ、かつ、最も遠い位置のイルミネーションＢに対しても多くの光量を与えることができる。
【００３２】
このようにこの実施の形態によれば、従来４つのランプＬ１〜Ｌ４を使用していたものが（図３参照）、それと同じ光放部に対して、２つのランプＬＡ１，ＬＡ２で従来と同等な光量をそれぞれの光放部に与えることができる。なお、イルミネーションＡ，Ｂは、単に挿入口の位置を示すためのものであり、光量がある程度低くても、操作つまみのように押しまちがい等の不都合は生じない。しかも、２つのイルミネーションＡ，Ｂを使用している。このため、この実施の形態では、イルミネーションＡやＢが最も遠い位置となるように、かつ他の操作つまみに関してはランプＬＡ１，ＬＡ２からの各最大離反位置が同等となるように配置している。
【００３３】
このようにランプ数を大幅に減らすことによって、部品の削減が図れ、回路に流す電流も小さくすることができることから、トランジスタなどの部品をそれに合わせた性能の安価なものを使用できるなど、コストの低廉化が図れる。また、ランプの数が少なければ発生する熱も小さく抑えることができ、放熱対策なども従来に比べれば小規模なものとすることができ、それによってもコストの低廉化が図れ、また、製品の品質向上も図ることができる。
【００３４】
また、この実施の形態では、最も遠い位置にあるイルミネーションＡやＢに届く光が途中の操作つまみ（ランプＬＡ１の場合は操作つまみａ，ｂ、ランプＬＡ２の場合は操作つまみｅ，ｇ）によってできる限り邪魔されないような配置としている。すなわち、ランプＬＡ１については、操作つまみａにかからないようにし、ランプＬＡ２の場合は操作つまみｇの一部を斜めに短く横断させている。なお、最も強い光（破線Ｘ１，Ｘ２で示す光）は操作つまみｂ，ｅ，ｇの下方の隙間を通っていくが、その近辺でかつ上方の光線は操作つまみｂ，ｅ，ｇに遮られる部分も出てくるので、このように配置することはイルミネーションＡ，Ｂに届く光の総量を減少させない上で好ましいものとなる。
【００３５】
また、この実施の形態では、ランプＬＡ１，ＬＡ２は、各操作つまみａ〜ｋに対してそのフィラメントＦが水平や垂直となるように配置されていないので、操作つまみの中央が明るく両側へいくと急激に暗くなるという場合や、操作つまみの一方端が明るく他方側へいくと急激に暗くなるというような明るさの不均一が生じにくくなる。
【００３６】
なお、上述の実施の形態は、本発明の好適な実施の形態の例であるが、これに限定されるものではなく、本発明の要旨を逸脱しない範囲において、種々変形実施可能である。たとえば、前述の実施の形態では、発光部材としてフィラメントＦを用いたランプＬＡ１，ＬＡ２を光源とした例で説明したが、このようなランプＬＡ１，ＬＡ２に限られるものではなく、同じような特性（発光部材の向きによって光量の大きさに違いを有する特性）を持つ光源であれば、同様に実施することができる。
【００３７】
また、上述の実施の形態では、破線Ｘ１で示した長さ（ランプＬＡ１のフィラメントＦの中心からイルミネーションＡまでの距離）と図１の破線Ｙ１で示した長さ（ランプＬＡ１のフィラメントＦの中心からｙ方向に伸び操作つまみｄの外縁までの距離）の比は、ランプＬＡ１のｘ方向の光量とｙ方向の光量の比と同一値となるようにされているが、その配置関係を操作つまみａ、ｂ、ｃ、ｄだけの間でこのような同一比となるように設定しても良い。
【００３８】
また、ランプＬＡ２の場合も、破線Ｘ２と破線Ｙ２との間でその距離が、ランプＬＡ２のｘ方向とｙ方向の各光量の比と同一比となるように設定されているが、操作つまみｅ〜ｋの間だけでそのような同一比となるように設定しても良い。
【００３９】
ただし、操作つまみだけを考慮すると言っても、イルミネーションＡ，Ｂの位置が両側で操作つまみからの距離が大きく異なる場合は、左右不均一となるので、ある程度、イルミネーションＡ，Ｂの位置も考慮する必要がある場合も存在する。また、同一比と言っても全く同一である必要はなく１０％程度のプラスマイナスが生じてもほぼ同様の効果が発生する。
【００４０】
また、ランプＬＡ１，ＬＡ２のフィラメントＦの配置を操作つまみやイルミネーションに対して水平または垂直となるように配置しても良いが、この場合も、そのランプＬＡ１，ＬＡ２によって光ることとなる光放部の配置関係は光量が大となる方向に最も遠くなる光放部を配置するようにする。また、このような場合においても、もし操作つまみとイルミネーションの役割が異なっている場合は、操作つまみを主に考慮してランプＬＡ１，ＬＡ２を配置するようにしても良い。
【００４１】
また、基板としては、前面パネル基板１以外に水平に配置する通常の回路基板としても良い。また、前面パネル基板１上に、ランプＬＡ１，ＬＡ２に加え、操作つまみ自体等も配置するようにしても良い。
【００４２】
【発明の効果】
以上説明したように、本発明は、複数の光放部に対して光を照射可能なように光源を基板上に取り付ける際、当該光源からの距離が最も遠い位置に存在する光放部に対して、当該光源の発光部材からの光量が最大となるように、その光源の角度を設定して取り付けるようにしている。これによって、光源からの距離が遠い位置に存在する光放部に対しても、当該光源から十分な光量を与えることができるので、少ない光源で多数の光放部を照射することができ、部品の削減が図れ、回路に流す電流も小さくすることができることからトランジスタなどの部品をそれに合わせた性能のものを使用できるなど、コストの低廉化が図れる。また、ランプの数が少なければ発生する熱も小さく抑えることができ、放熱対策なども従来に比べれば小規模なものとすることができ、それによってもコストの低廉化が図れ、また、製品の品質向上も図ることができる。
【００４３】
また、他の発明では、操作つまみとなる光放部に対し均一にむらなく光を与えることが可能となり、この取り付け構造が組み込まれる機器の製品としての見栄えが良くなり、高級感が増し、製品価値が高まることとなる。
【図面の簡単な説明】
【図１】本発明における機器の表示用光源の取り付け構造を説明するための前面パネル基板とその全面を覆う前面パネル（前面パネル自体は図面上は透かし構成とされている）の一例を示す平面図である。
【図２】本発明において用いられる光源としてのランプの特性を説明する図である。
【図３】従来の機器の表示用光源の取り付け構造を説明するための前面パネル基板とその前面を覆う前面パネル（前面パネル自体は図面上は透かし構成とされている）の一例を示す平面図である。
【符号の説明】
１  前面パネル基板（基板）
ａ〜ｋ  操作つまみ（光放部）
Ａ，Ｂ  イルミネーション（光放部）
Ｆ  一方向に延びたフィラメント
ＬＡ１，ＬＡ２  ランプ（光源）
ｘ−ｘ’  フィラメントＦに直交する方向
ｙ−ｙ’  フィラメントＦの延長方向
Ｘ１，Ｘ２  フィラメントＦに直交する方向に延びた線
Ｙ１，Ｙ２  フィラメントＦの延長方向に延びた線
【図１】
0003830080.tif 000002
【図２】
0003830080.tif 000003
【図３】
0003830080.tif 000004